(57)【特許請求の範囲】
【請求項１】
一対の圧縮室を形成する固定スクロールおよび旋回スクロールの渦巻き状ラップの歯先面および歯底面の渦巻き方向に沿う位置に各々段部が設けられ、その段部を境に前記渦巻き状ラップの外周側のラップ高さが内周側のラップ高さよりも高くされている横型段付きスクロール圧縮機において、
前記一対の圧縮室内の圧力が、吸入締切り位置から吐出ポートに連通する位置迄の間の圧縮途中位置で設定圧以上になったとき、その圧力を吐出室にリリーフするバイパスポートが前記渦巻き状ラップの渦巻き方向に沿って設けられ、
そのバイパスポートのうち、前記段部が噛み合い開始時に、重力方向下側の前記段部が含まれる第１圧縮室に開口する前記バイパスポートの開口面積が、その第１圧縮室と対をなす第２圧縮室に開口する前記バイパスポートの開口面積よりも大きくされていることを特徴とする横型段付きスクロール圧縮機。
【請求項２】
前記第１圧縮室が前記バイパスポートに対して閉口する前位置から前記吐出ポートに連通する位置迄の範囲で開口する第２バイパスポートの開口面積も、前記第２圧縮室が第２バイパスポートに対して閉口する前位置から前記吐出ポートに連通する位置迄の範囲で開口する第２バイパスポートの開口面積よりも大きくされていることを特徴とする請求項１に記載の横型段付きスクロール圧縮機。
【請求項３】
前記第１圧縮室に開口する前記バイパスポートおよび／または第２バイパスポートは、ポート数が前記第２圧縮室に開口する前記バイパスポートおよび／または第２バイパスポートのポート数よりも多くされることにより、前記開口面積が大きくされていることを特徴とする請求項１または２に記載の横型段付きスクロール圧縮機。
【請求項４】
前記第１圧縮室に開口する前記バイパスポートおよび／または第２バイパスポートは、１個当たりのポート面積が前記第２圧縮室に開口する前記バイパスポートおよび／または第２バイパスポートの１個当たりのポート面積よりも大きくされることにより、前記開口面積が大きくされていることを特徴とする請求項１または２に記載の横型段付きスクロール圧縮機。
【請求項５】
一対の圧縮室を形成する固定スクロールおよび旋回スクロールの渦巻き状ラップの歯先面および歯底面の渦巻き方向に沿う位置に各々段部が設けられ、その段部を境に前記渦巻き状ラップの外周側のラップ高さが内周側のラップ高さよりも高くされている横型段付きスクロール圧縮機において、
前記一対の圧縮室内の圧力が、吸入締切り位置から吐出ポートに連通する位置迄の間の圧縮途中位置で設定圧以上になったとき、その圧力を吐出室にリリーフするバイパスポートが前記渦巻き状ラップの渦巻き方向に沿って設けられ、
前記一対の段部のうち、重力方向下側に位置する前記段部が水平方向に対して０°からスクロール旋回方向に４５°の範囲に位置されていることを特徴とする横型段付きスクロール圧縮機。
【請求項６】
前記重力方向下側に位置する段部が、水平方向に対してスクロール旋回方向に２０°から４０°の範囲に位置されていることを特徴とする請求項５に記載の横型段付きスクロール圧縮機。
【請求項７】
前記重力方向下側に位置する段部が、水平方向に対してスクロール旋回方向に３０°の位置に位置されていることを特徴とする請求項５または６に記載の横型段付きスクロール圧縮機。
【発明の詳細な説明】
【技術分野】
【０００１】
本発明は、固定スクロールおよび旋回スクロールの渦巻き方向に沿う位置に段部が設けられている横型段付きスクロール圧縮機に関するものである。
【背景技術】
【０００２】
固定スクロールおよび旋回スクロールの渦巻き状ラップにおける歯先面および歯底面の渦巻き方向に沿う位置に各々段部が設けられ、その段部を境に渦巻き状ラップの外周側のラップ高さが内周側のラップ高さよりも高くされている、いわゆる段付きスクロール圧縮機は、冷媒ガスを渦巻き状ラップの周方向だけでなく、ラップ高さ方向にも圧縮（三次元圧縮）できるため、段部を備えていないスクロール圧縮機（二次元圧縮）に比べて、押しのけ量を大きくし、圧縮機容量を増加することができる。従って、圧縮機の外径を大きくすることなく、圧縮比を高めて性能向上を図り、小型化、軽量化することができる。
【０００３】
かかる段付きスクロール圧縮機において、圧縮室の圧力が異常上昇し、その圧力が吐出ポートと連通する前に設定圧以上に達したとき、バイパスポートおよびバイパス弁を介して吐出室にリリーフする過圧縮防止機構を設けた段付きスクロール圧縮機が特許文献１に開示されている。一方、特許文献２には、固定スクロールおよび旋回スクロールを異巻き数とした二次元圧縮タイプのスクロール圧縮機において、過圧縮および液圧縮を緩和するため、一対の背側圧縮室および腹側圧縮室に設けられるバイパスポートの位置および大きさ（数）を異ならせるようにしたものが開示されている。
【０００４】
また、特許文献３には、駆動軸を水平方向に配設した横型スクロール圧縮機にあって、両スクロールにより形成される圧縮室と、吐出室との間に、少なくとも４個のリリーフポートと１個の吐出ポートとを設けるとともに、各々のポートにリリーフ弁を設け、各リリーフポートまたは吐出ポートの１つが常に圧縮室と連通するように構成し、圧縮行程全域において液圧縮および過圧縮を防止できるようにしたものが開示されている。
【先行技術文献】
【特許文献】
【０００５】
【特許文献１】特開２００９−２８７５１２号公報
【特許文献２】特開２００４−２７０６６７号公報
【特許文献３】特開２０００−３４５９７６号公報
【発明の概要】
【発明が解決しようとする課題】
【０００６】
しかしながら、特許文献１−３の何れにも、横型の段付きスクロール圧縮機を、運転停止中に液冷媒がマイグレーションし、圧縮室内に液冷媒が溜まり込んでいる状態で起動時における液圧縮を効果的に防止できるようにしたものは開示されていない。スクロール圧縮機は、液冷媒が溜まり込んでいる状態で起動すると、液圧縮によってスクロールラップが破損する可能性があるため、過大な液圧縮を防止すべく、バイパスポートを設けて液冷媒を吐出室にリリーフする技術を採用している。
【０００７】
駆動軸が水平に配設されている横型スクロール圧縮機の場合、通常、重力方向下側の圧縮室に冷媒液がマイグレーションして溜まり込むため、重力方向下側の圧縮室でより液圧縮が発生し易いと考えられていた。こうした中、発明者らによる分析の結果、横型段付きスクロール圧縮機においては、段部同士の噛み合いが外れると、一対の背側圧縮室と腹側圧縮室とが連通するため、必ずしも重力方向下側の圧縮室で液圧縮が発生し易いわけではなく、段部が噛み合いを開始した時に、重力方向下側の段部が含まれる圧縮室側においてより液圧縮が発生し易いということが判った。以下にその分析結果について説明する。
【０００８】
図６は、圧縮室の略５０％高さ位置まで液冷媒が溜まり込んでいる状態から起動した場合の圧縮動作を示したもので、固定スクロール１３および旋回スクロール１４の渦巻き状ラップ１３Ｂ，１４Ｂの歯先面および歯底面の渦巻き方向の所定位置に、それぞれ段部１３Ｄ，１３Ｅおよび１４Ｄ，１４Ｅが設けられ、両スクロール１３，１４を噛み合わせたとき、互いに噛み合う重力方向下側の歯底面の段部１３Ｅと歯先面の段部１４Ｄが左下４５°位置に設定されている場合のものである。
【０００９】
図６（Ａ）は、スクロール旋回角が吸入締切り位置で、段部１３Ｅと１４Ｄ、１３Ｄと１４Ｅが噛み合い終了位置にある状態を示しており、この場合、スクロール中心を通る水平線レベルまで下側圧縮室（固定腹側圧縮室）１５Ａ内に液冷媒が溜まり込んでいるものとする。この（Ａ）図の状態から９０°旋回角が進んだ状態が（Ｂ）図であり、段部１３Ｅと１４Ｄ、１３Ｄと１４Ｅの噛み合いが外れるため、一対の固定腹側圧縮室１５Ａと固定背側圧縮室１５Ｂとが連通し、（Ａ）図で固定腹側圧縮室１５Ａに溜まり込んでいた液冷媒が対をなす固定背側圧縮室１５Ｂ側に移動している。
【００１０】
この（Ｂ）図の状態から９０°旋回角が進んだ状態が（Ｃ）図であり、この位置で段部１３Ｅと１４Ｄ、１３Ｄと１４Ｅが噛み合いを開始し、両圧縮室１５Ａ，１５Ｂ内に液冷媒が閉じ込められる。このとき、重力方向下側の段部１３Ｅ，１４Ｄが含まれる固定背側圧縮室１５Ｂに閉じ込められる液冷媒の量が、固定腹側圧縮室１５Ａに閉じ込められる液冷媒の量よりも多く、この液冷媒が、更に９０°旋回角が進んだ（Ｄ）図の状態に至る以降の過程において圧縮され、液圧縮が発生する。
【００１１】
このように、横型の段付きスクロール圧縮機の場合、段部を有していない二次元圧縮タイプの横型スクロール圧縮機のように、起動時に重力方向下側に位置している圧縮室（固定腹側圧縮室）１５Ａにおいて、液圧縮が発生し易いというわけではなく、段部１３Ｅと１４Ｄ、１３Ｄと１４Ｅが噛み合いを開始した時に、重力方向下側の段部１３Ｅ，１４Ｄが含まれる圧縮室（固定背側圧縮室）１５Ｂ側において、より液圧縮が発生し易いということになる。
【００１２】
なお、図６は、重力方向下側の段部１３Ｅ，１４Ｄを、水平方向に対して左下４５°の位置に設定した場合のものであるが、この段部１３Ｅ，１４Ｄの位置を変えたところ、段部１３Ｅと１４Ｄおよび１３Ｄと１４Ｅが噛み合いを開始した時に、重力方向下側の段部１３Ｅ，１４Ｄが含まれる固定背側圧縮室１５Ｂに閉じ込められる液冷媒の量が変化することが判った。その変化の状況を、図７ないし図９を用いて説明する。
【００１３】
図７は、重力方向下側の段部１３Ｅ，１４Ｄの位置を真下位置、図８は、重力方向下側の段部１３Ｅ，１４Ｄの位置を右下４５°位置、図９は、重力方向下側の段部１３Ｅ，１４Ｄの位置を真横位置（水平位置）に設定した場合の圧縮動作を示したものであり、各図において、段部１３Ｅと１４Ｄ、１３Ｄと１４Ｅが噛み合いを開始した時に、重力方向下側の段部１３Ｅ，１４Ｄが含まれる圧縮室（固定背側圧縮室）１５Ｂに閉じ込められる液冷媒の量は、各図の（Ｃ）状態の比較から明らかな通り、変化していることが判る。
【００１４】
すなわち、図６（Ｃ）の場合、段部１３Ｅと１４Ｄ、１３Ｄと１４Ｅが噛み合いを開始した時に、重力方向下側の段部１３Ｅ，１４Ｄが含まれる固定背側圧縮室１５Ｂ側に閉じ込められる液冷媒量の方が、対をなす固定腹側圧縮室１５Ａに閉じ込められる冷媒量に比べて圧倒的に多く、液圧縮が発生し易い。また、図７（Ｃ）の場合も、図６（Ｃ）の場合と同様、重力方向下側の段部１３Ｅ，１４Ｄが含まれる固定背側圧縮室１５Ｂ側に閉じ込められる液冷媒量の方が、対をなす固定腹側圧縮室１５Ａに閉じ込められる冷媒量に対して圧倒的に多い。
【００１５】
これに対して、図８（Ｃ）の場合は、重力方向下側の段部１３Ｅ，１４Ｄが含まれる固定背側圧縮室１５Ｂ側に閉じ込められる液冷媒量の方が、対をなす固定腹側圧縮室１５Ａに閉じ込められる冷媒量に比べて、やや多い略半々と云える程度まで減少していることが判る。更に、図９（Ｃ）の場合には、重力方向下側の段部１３Ｅ，１４Ｄが含まれる固定背側圧縮室１５Ｂ側に閉じ込められる液冷媒量の方が逆に、対をなす固定腹側圧縮室１５Ａに閉じ込められる冷媒量に比べ、やや少ないものの略半々と云える程度に変化していることが判る。
【００１６】
本発明は、上述した知見に基づいてなされたものであって、運転停止中に圧縮機に液冷媒がマイグレーションした液寝込み状態からの起動時においても、液圧縮を効果的に防止することができる横型段付きスクロール圧縮機を提供することを目的とする。
【課題を解決するための手段】
【００１７】
上記した課題を解決するために、本発明の横型段付きスクロール圧縮機は、以下の手段を採用する。
すなわち、本発明に係る横型段付きスクロール圧縮機は、一対の圧縮室を形成する固定スクロールおよび旋回スクロールの渦巻き状ラップの歯先面および歯底面の渦巻き方向に沿う位置に各々段部が設けられ、その段部を境に前記渦巻き状ラップの外周側のラップ高さが内周側のラップ高さよりも高くされている横型段付きスクロール圧縮機において、前記一対の圧縮室内の圧力が、吸入締切り位置から吐出ポートに連通する位置迄の間の圧縮途中位置で設定圧以上になったとき、その圧力を吐出室にリリーフするバイパスポートが前記渦巻き状ラップの渦巻き方向に沿って設けられ、そのバイパスポートのうち、前記段部が噛み合い開始時に、重力方向下側の前記段部が含まれる第１圧縮室に開口する前記バイパスポートの開口面積が、その第１圧縮室と対をなす第２圧縮室に開口する前記バイパスポートの開口面積よりも大きくされていることを特徴とする。
【００１８】
横型スクロール圧縮機では、停止中に冷媒液がマイグレーションし、重力方向下側に位置する圧縮室内に溜まり込むため、圧縮開始時に重力方向下側に位置していた圧縮室側でより液圧縮が発生し易くなる。しかし、いわゆる段付きスクロール圧縮機の場合、段部の噛み合いが外れると、一対の背側圧縮室と腹側圧縮室との間が連通されるため、必ずしも重力方向下側の圧縮室で液圧縮が発生し易くなるわけではなく、段部が噛み合いを開始した時に、重力方向下側の段部が含まれる圧縮室側でより液圧縮が発生し易くなる。
本発明によれば、一対の圧縮室内の圧力が、吸入締切り位置から吐出ポートに連通する位置迄の間の圧縮途中位置で設定圧以上になったとき、その圧力を吐出室にリリーフするバイパスポートが渦巻き状ラップの渦巻き方向に沿って設けられ、そのバイパスポートのうち、段部が噛み合い開始時に、重力方向下側の段部が含まれる第１圧縮室に開口するバイパスポートの開口面積が、第１圧縮室と対をなす第２圧縮室に開口するバイパスポートの開口面積よりも大きくされているため、横型段付きスクロール圧縮機を液冷媒が溜まり込んでいる状態で起動したとしても、段部が噛み合い開始時に、重力方向下側の段部が含まれる第１圧縮室に閉じ込められた液冷媒を、開口面積が大きくされているバイパスポートを介して吐出室にリリーフすることにより、液圧縮が発生し易い第１圧縮室側での過大な液圧縮の発生を防止することができる。従って、横型段付きスクロール圧縮機の液寝込み起動時における液圧縮を効果的に防止し、液圧縮によるスクロールの破損等のリスクを低減してその信頼性を向上することができる。
【００１９】
また、本発明の横型段付きスクロール圧縮機は、上記の横型段付きスクロール圧縮機において、前記第１圧縮室が前記バイパスポートに対して閉口する前位置から前記吐出ポートに連通する位置迄の範囲で開口する第２バイパスポートの開口面積も、前記第２圧縮室が第２バイパスポートに対して閉口する前位置から前記吐出ポートに連通する位置迄の範囲で開口する第２バイパスポートの開口面積よりも大きくされていることを特徴とする。
【００２０】
本発明によれば、第１圧縮室がバイパスポートに対して閉口する前位置から吐出ポートに連通する位置迄の範囲で開口する第２バイパスポートの開口面積も、第２圧縮室が第２バイパスポートに対して閉口する前位置から吐出ポートに連通する位置迄の範囲で開口する第２バイパスポートの開口面積よりも大きくされているため、第１圧縮室がバイパスポートに対して閉口した位置から吐出ポートに連通する迄の噛み合い範囲においても、第１圧縮室が液圧縮を発生したとき、その液冷媒を開口面積が大きくされている第２バイパスポートを介して吐出室にリリーフすることができる。従って、段部が噛み合い開始以降の全圧縮工程で第１圧縮室での液圧縮を確実に防止し、液寝込み起動に対する横型段付きスクロール圧縮機の耐久性および信頼性を確保することができる。
【００２１】
さらに、本発明の横型段付きスクロール圧縮機は、上述のいずれの横型段付きスクロール圧縮機において、前記第１圧縮室に開口する前記バイパスポートおよび／または第２バイパスポートは、ポート数が前記第２圧縮室に開口する前記バイパスポートおよび／または第２バイパスポートのポート数よりも多くされることにより、前記開口面積が大きくされていることを特徴とする。
【００２２】
本発明によれば、第１圧縮室に開口するバイパスポートおよび／または第２バイパスポートのポート数が、第２圧縮室に開口するバイパスポートおよび／または第２バイパスポートのポート数よりも多くされることにより、開口面積が大きくされているため、この種のポート径が所定径以下に制限される中において、ポート数を多くすることにより、簡易に開口面積を大きくすることができる。従って、液寝込み起動時、第１圧縮室に閉じ込められた液冷媒を、ポート数を増やして開口面積を大きくしたバイパスポートおよび／または第２バイパスポートを介して円滑にリリーフすることができ、第１圧縮室側での液圧縮を確実に防止することができる。
【００２３】
さらに、本発明の横型段付きスクロール圧縮機は、上述のいずれの横型段付きスクロール圧縮機において、前記第１圧縮室に開口する前記バイパスポートおよび／または第２バイパスポートは、１個当たりのポート面積が前記第２圧縮室に開口する前記バイパスポートおよび／または第２バイパスポートの１個当たりのポート面積よりも大きくされることにより、前記開口面積が大きくされていることを特徴とする。
【００２４】
本発明によれば、第１圧縮室に開口するバイパスポートおよび／または第２バイパスポートの１個当たりのポート面積が、第２圧縮室に開口するバイパスポートおよび／または第２バイパスポートの１個当たりのポート面積よりも大きくされることにより、開口面積が大きくされているため、この種のポート径が所定径以下に制限される中、１個当たりのポート面積を、例えば長孔にして変えることにより、簡易に開口面積を大きくすることができる。従って、液寝込み起動時、第１圧縮室に閉じ込められた液冷媒を、１個当たりのポート面積を大きくして開口面積を大きくしたバイパスポートおよび／または第２バイパスポートを介して円滑にリリーフすることができ、第１圧縮室側での液圧縮を確実に防止することができる。
【００２５】
さらに、本発明に係る横型段付きスクロール圧縮機は、一対の圧縮室を形成する固定スクロールおよび旋回スクロールの渦巻き状ラップの歯先面および歯底面の渦巻き方向に沿う位置に各々段部が設けられ、その段部を境に前記渦巻き状ラップの外周側のラップ高さが内周側のラップ高さよりも高くされている横型段付きスクロール圧縮機において、前記一対の圧縮室内の圧力が、吸入締切り位置から吐出ポートに連通する位置迄の間の圧縮途中位置で設定圧以上になったとき、その圧力を吐出室にリリーフするバイパスポートが前記渦巻き状ラップの渦巻き方向に沿って設けられ、前記一対の段部のうち、重力方向下側に位置する前記段部が水平方向に対して０°からスクロール旋回方向に４５°の範囲に位置されていることを特徴とする。
【００２６】
本発明によれば、一対の圧縮室内の圧力が、吸入締切り位置から吐出ポートに連通する位置迄の間の圧縮途中位置で設定圧以上になったとき、その圧力を吐出室にリリーフするバイパスポートが渦巻き状ラップの渦巻き方向に沿って設けられ、一対の段部のうち、重力方向下側に位置する段部が水平方向に対して０°からスクロール旋回方向に４５°の範囲に位置されているため、横型段付きスクロール圧縮機を液冷媒が溜まり込んでいる状態で起動したとしても、一対の段部の中の重力方向下側に位置する段部が、水平方向に対して０°からスクロール旋回方向に４５°の範囲に位置されていることから、段部が噛み合い開始時に、重力方向下側の段部が含まれる第１圧縮室と、それと対をなす第２圧縮室とに閉じ込められる液冷媒の量を略等しくし、各々の液冷媒をバイパスポートによって吐出室にリリーフすることにより、第１および第２圧縮室、すなわち一対の背側圧縮室および腹側圧縮室での液圧縮のリスクを軽減することができる。従って、横型段付きスクロール圧縮機の液寝込み起動時における液圧縮を効果的に防止し、液圧縮による渦巻き状ラップの破損等のリスクを低減してその信頼性を向上することができる。
【００２７】
さらに、本発明の横型段付きスクロール圧縮機は、上記の横型段付きスクロール圧縮機において、前記重力方向下側に位置する段部が、水平方向に対してスクロール旋回方向に２０°から４０°の範囲に位置されていることを特徴とする。
【００２８】
本発明によれば、重力方向下側に位置する段部が、水平方向に対してスクロール旋回方向に２０°から４０°の範囲に位置されているため、段部が噛み合い開始時に、重力方向下側の段部が含まれる第１圧縮室と、それと対をなす第２圧縮室とに各々閉じ込められる液冷媒の量をより等しくなる方向に近づけることができ、第１および第２圧縮室での液圧縮のリスクをより軽減することができる。これによって、段部が噛み合い開始以降の圧縮工程での各圧縮室での液圧縮を防止し、液寝込み起動に対する横型段付きスクロール圧縮機の耐久性および信頼性を確保することができる。
【００２９】
さらに、本発明の横型段付きスクロール圧縮機は、上述のいずれかの横型段付きスクロール圧縮機において、前記重力方向下側に位置する段部が、水平方向に対してスクロール旋回方向に３０°の位置に位置されていることを特徴とする。
【００３０】
本発明によれば、重力方向下側に位置する段部が、水平方向に対してスクロール旋回方向に３０°の位置に位置されているため、段部が噛み合い開始時に、重力方向下側の段部が含まれる第１圧縮室と、それと対をなす第２圧縮室とに各々閉じ込められる液冷媒の量を略同等とすることができ、第１および第２圧縮室での液圧縮のリスクを一層軽減することができる。従って、段部が噛み合い開始以降の圧縮工程での各圧縮室での液圧縮を確実に防止し、液寝込み起動に対する横型段付きスクロール圧縮機の耐久性および信頼性を確保することができる。
【発明の効果】
【００３１】
本発明によると、横型段付きスクロール圧縮機を液冷媒が溜まり込んでいる状態で起動したとしても、段部が噛み合い開始時に、重力方向下側の段部が含まれる第１圧縮室に閉じ込められた液冷媒を、開口面積が大きくされているバイパスポートを介して吐出室にリリーフすることにより、液圧縮が発生し易い第１圧縮室側での過大な液圧縮の発生を防止することができるため、横型段付きスクロール圧縮機の液寝込み起動時における液圧縮を効果的に防止し、液圧縮によるスクロールの破損等のリスクを低減してその信頼性を向上することができる。
【００３２】
また、本発明によると、横型段付きスクロール圧縮機を液冷媒が溜まり込んでいる状態で起動したとしても、一対の段部の中の重力方向下側に位置する段部が、水平方向に対して０°からスクロール旋回方向に４５°の範囲に位置されていることから、段部が噛み合い開始時に、重力方向下側の段部が含まれる第１圧縮室と、それと対をなす第２圧縮室とに閉じ込められる液冷媒の量を略等しくし、各々の液冷媒をバイパスポートによって吐出室にリリーフすることにより、第１および第２圧縮室、すなわち一対の背側圧縮室および腹側圧縮室での液圧縮のリスクを軽減することができるため、横型段付きスクロール圧縮機の液寝込み起動時における液圧縮を効果的に防止し、液圧縮による渦巻き状ラップの破損等のリスクを低減してその信頼性を向上することができる。
【図面の簡単な説明】
【００３３】
【図１】本発明の第１実施形態に係る横型段付きスクロール圧縮機の縦断面相当図である。
【図２】図１のＡ−Ａ断面相当図である。
【図３】上記スクロール圧縮機の固定および旋回スクロールの噛み合い状態の変移を示す圧縮動作説明図である。
【図４】本発明の第２実施形態に係る横型段付きスクロール圧縮機の両スクロールの噛み合い状態の変移を示す圧縮動作説明図である。
【図５】上記スクロール圧縮機の圧縮室に溜まった液冷媒の液面高さと発生液圧縮圧力の関係を示す説明図である。
【図６】横型段付きスクロール圧縮機の重力方向下側の段部が水平方向に対し左下４５°に位置する場合の液寝込み起動時の圧縮動作説明図である。
【図７】上記圧縮機の重力方向下側の段部が水平方向に対し真下位置に位置する場合の液寝込み起動時の圧縮動作説明図である。
【図８】上記圧縮機の重力方向下側の段部が水平方向に対し右下４５°に位置する場合の液寝込み起動時の圧縮動作説明図である。
【図９】上記圧縮機の重力方向下側の段部が水平方向に対し真横位置（水平位置）に位置する場合の液寝込み起動時の圧縮動作説明図である。
【発明を実施するための形態】
【００３４】
以下に、本発明にかかる実施形態について、図面を参照して説明する。
［第１実施形態］
以下、本発明の第１実施形態について、図１ないし図３および図５を用いて説明する。
図１には、本発明の第１実施形態に係る横型段付きスクロール圧縮機の縦断面相当図が示され、図２には、そのＡ−Ａ断面相当図、図３には、そのスクロール圧縮機の圧縮動作説明図が示されている。
横型段付きスクロール圧縮機１は、外殻を構成するハウジング２を備えている。このハウジング２は、一端が封鎖されている有底のカップ状ハウジング３と、その開口端側に嵌合装着されるフロントハウジング４とからなり、両者をボルト等により一体に締め付け固定した構成とされている。
【００３５】
フロントハウジング４の内部には、クランク軸５がメイン軸受６およびサブ軸受７を介してその軸線回りに回転自在に支持されている。クランク軸６の一端側（図１において左端側）は小径軸部５Ａとされ、その小径軸部５Ａはフロントハウジング４を貫通して図１の左側に突出している。小径軸部５Ａの外部突出端には、公知の如く外部からの動力を受ける電磁クラッチ、プーリー等が設けられ、エンジン等の外部駆動源からベルトを介して動力が入力されるようになっている。メイン軸受６とサブ軸受７との間には、リップシール８が設置され、ハウジング２内と大気との間をシールしている。
【００３６】
クランク軸５の他端側（図１において右端側）には、大径軸部５Ｂが設けられ、その大径軸部５Ｂには、クランク軸５の軸線より所定寸法だけ偏心したクランクピン５Ｃが一体に設けられている。クランク軸５は、大径軸部５Ｂおよび小径軸部５Ａがメイン軸受６およびサブ軸受７を介して支持されることにより、フロントハウジング４に回転自在に支持されている。クランクピン５Ｃには、ドライブブッシュ９および旋回軸受１０を介して後述する旋回スクロール１４が連結され、クランク軸５の回転駆動によって旋回スクロール１４が旋回駆動されるようになっている。
【００３７】
ドライブブッシュ９には、クランクピン５Ｃが嵌合するピン穴９Ａが設けられ、クランクピン５Ｃに嵌合されたドライブブッシュ９の外周に旋回軸受１０を介して旋回スクロール１４のボス部１４を嵌合することにより、クランクピン５Ｃと旋回スクロール１４が連結されている。このドライブブッシュ９とクランクピン５Ｃとの間に、旋回スクロール１４の旋回半径を可変とする公知の従動クランク機構を設けることができる。また、ドライブブッシュ９には、旋回スクロール１４が旋回されることにより発生するアンバランス荷重を除去するためのバランスウェイト１１が設けられ、旋回スクロール１４と共に旋回駆動されるようになっている。
【００３８】
ハウジング２内には、一対の固定スクロール１３および旋回スクロール１４により構成されるスクロール圧縮機構（圧縮機構）１２が組み込まれている。この固定スクロール１３は、端板１３Ａと端板１３Ａから立設されている渦巻き状ラップ１３Ｂとから構成されており、また、旋回スクロール１４は、端板１４Ａと端板１４Ａから立設されている渦巻き状ラップ１４Ｂとから構成されている。
【００３９】
本実施形態の固定スクロール１３および旋回スクロール１４は、それぞれ渦巻き状ラップ１３Ｂ，１４Ｂの歯先面および歯底面の渦巻き方向に沿う所定の位置に、それぞれ段部１３Ｄ，１３Ｅおよび１４Ｄ，１４Ｅ（図２参照）を備えている。この段部１３Ｄ，１３Ｅおよび１４Ｄ，１４Ｅを境に、渦巻き状ラップ１３Ｂ，１４Ｂの歯先面は、旋回軸線方向に外周側の歯先面が高く、内周側の歯先面が低くされる一方、歯底面は、旋回軸線方向に外周側の歯底面が低く、内周側の歯底面が高くされている。これによって、渦巻き状ラップ１３Ｂ，１４Ｂは、その外周側におけるラップ高さが内周側のラップ高さよりも高くされている。
【００４０】
固定スクロール１３と旋回スクロール１４は、その中心を旋回半径分だけ離し、渦巻き状ラップ１３Ｂ，１４Ｂの位相を１８０度ずらして噛み合わされ、両スクロールの渦巻き状ラップ１３Ｂ，１４Ｂの歯先面と歯底面間に常温で僅かなラップ高さ方向のクリアランスを有するように組み付けられる。これによって、図１に示されるように、両スクロール１３，１４間に、その端板１３Ａ，１４Ａと渦巻き状ラップ１３Ｂ，１４Ｂとにより限界される一対の圧縮室１５がスクロール中心に対して対称に形成されるとともに、旋回スクロール１４が固定スクロール１３の周りをスムーズに旋回されるようになっている。
【００４１】
圧縮室１５は、旋回軸線方向の高さが渦巻き状ラップ１３Ｂ，１４Ｂの外周側において内周側の高さよりも高くされることにより、ガスを渦巻き状ラップ１３Ｂ，１４Ｂの周方向だけでなく、ラップ高さ方向にも圧縮できる三次元圧縮が可能な圧縮機構１２を構成している。なお、渦巻き状ラップ１３Ｂ，１４Ｂの歯先面には、相手方スクロールの歯底面との間に形成されるチップシール面をシールするチップシール１６が、歯先面に設けられている溝内に嵌合設置されている。かかる構成の横型段付きスクロール圧縮機１は、よく知られたものである。
【００４２】
固定スクロール１３は、カップ状ハウジング３の内底面に複数本のボルト１７を介して固定設置されている。また、旋回スクロール１４は、端板１４Ａの背面に設けられているボス部１４Ｃに対して、上述の通り、クランク軸５の一端側に設けられているクランクピン５Ｃがドライブブッシュ９および旋回軸受１０を介して結合されている。更に、この旋回スクロール１４は、フロントハウジング４のスラスト軸受け面により端板１４Ａの背面が支持され、そのスラスト軸受け面と端板１４Ａの背面との間に設けられているオルダムリンク等の自転阻止機構１８を介して、自転が阻止されながら固定スクロール１３の周りを公転旋回駆動されるようになっている。自転阻止機構１８は、公知のピンリング式の自転阻止機構としてもよい。
【００４３】
固定スクロール１３には、端板１３Ａの中央部位に圧縮された冷媒ガスを吐出する吐出ポート１３Ｃが開口されており、その吐出ポート１３Ｃには、リテーナを介して吐出リード弁１９が設置されている。また、固定スクロール１３の端板１３Ａの背面側には、カップ状ハウジング３の内面と密接されるようにＯリング等のシール材２０が介装され、カップ状ハウジング３の内面との間にハウジング２の内部空間から区画された吐出室２１が形成されている。これによって、吐出室２１を除くハウジング２の内部空間が、吸入チャンバー２２として機能する構成とされている。
【００４４】
上記構成の横型段付きスクロール圧縮機１において、運転条件が変化することによって過圧縮や液圧縮が発生することがあり、この場合、固定スクロール１３および旋回スクロール１４の渦巻き状ラップ１３Ｂ，１４Ｂの歯先面側の段部１３Ｄ，１４Ｄの根元部等に対して、過圧縮や液圧縮による過大な応力が負荷される可能性があり、その応力によって段部１３Ｄ，１４Ｄの根元にクラックが生じ、渦巻き状ラップ１３Ｂ，１４Ｂが破損するリスクがある。
【００４５】
このため、本実施形態では、一対の圧縮室１５が吸入締め切りされた位置（θｄ）から段部１３Ｄと１４Ｅ、１３Ｅと１４Ｄとが噛み合いを開始（θｓ位置）し、その噛み合いが終了する位置（θｓ＋π）を経て、一対の圧縮室１５が合流して吐出ポート１３Ｃに連通する位置（θｐ）に至る迄の全圧縮行程において、各圧縮室１５に開口され、過圧縮あるいは液圧縮を防止する、それぞれ対をなす第１バイパスポート２３Ａ，２３Ｂ、第２バイパスポート２４Ａ，２４Ｂおよび第３バイパスポート２５Ａ，２５Ｂを渦巻き方向に沿って、複数対設けた構成としている。
【００４６】
これらの第１バイパスポート２３Ａ，２３Ｂ、第２バイパスポート２４Ａ，２４Ｂおよび第３バイパスポート２５Ａ，２５Ｂの吐出室２１への開口部には、各圧縮室１５内の圧力が設定圧以上になったとき、各々のバイパスポート２３Ａ，２３Ｂ，２４Ａ，２４Ｂおよび２５Ａ，２５Ｂを吐出室２１に開放する図示省略のリード弁が設けられているものとする。なお、このようなリード弁を設けることは公知である。
【００４７】
更に、横型段付きスクロール圧縮機１にあっては、前述の通り、運転停止中に液冷媒がマイグレーションした液寝込み状態からの起動時に液圧縮が発生し易いのは、起動時に重力方向下側に位置する圧縮室ではなく、段部１３Ｄと１４Ｅ、１３Ｅと１４Ｄが噛み合いを開始した時に、重力方向下側の段部１３Ｅ，１４Ｄが含まれる第１圧縮室（固定背側圧縮室）１５Ｂ側で、液圧縮が発生し易いとの知見を得ている。この知見に基づいて、上記の第１バイパスポート２３Ａ，２３Ｂ、第２バイパスポート２４Ａ，２４Ｂおよび第３バイパスポート２５Ａ，２５Ｂに加えて、液寝込み状態からの起動時における液圧縮を効果的に防止すべく、以下の構成を採用している。
【００４８】
つまり、段部１３Ｄと１４Ｅ、１３Ｅと１４Ｄが噛み合いを開始した時に、重力方向下側の段部１３Ｅ，１４Ｄが含まれる第１圧縮室（固定背側圧縮室）１５Ｂに開口する第１バイパスポート２３Ｂに加えて、追加の第１バイパスポート２３Ｂ１を設け、第１圧縮室１５Ｂと対をなす第２圧縮室（固定腹側圧縮室）１５Ａに開口する第１バイパスポート２３Ａの開口面積によりも、第１圧縮室（固定背側圧縮室）１５Ｂ側に開口する第１バイパスポート２３Ｂ，２３Ｂ１の開口面積を大きくし、液冷媒をよりリリーフし易くすることによって、液圧縮を防止するようにしている。
【００４９】
また、上記第１圧縮室（固定背側圧縮室）１５Ｂが噛み合いを開始した位置（θｓ）から噛み合い終了位置（θｓ＋π）を経て吐出ポート１３Ｃに連通する位置（θｐ）に至る間に、その第１圧縮室（固定背側圧縮室）１５Ｂに開口する第２バイパスポート２４Ｂ位置にも、追加の第２バイパスポート２４Ｂ１を設けることにより、第１圧縮室１５Ｂと対をなす第２圧縮室（固定腹側圧縮室）１５Ａに開口する第２バイパスポート２４Ａの開口面積によりも、第１圧縮室（固定背側圧縮室）１５Ｂ側に開口する第１バイパスポート２４Ｂ，２４Ｂ１の開口面積を大きくし、液冷媒をリリーフし易くして液圧縮が発生しないようにしている。
【００５０】
なお、追加して設ける第１バイパスポート２３Ｂ１、第２バイパスポート２４Ｂ１に対しても、第１圧縮室１５Ｂ内の圧力が設定圧以上になったとき、各々バイパスポート２２３Ｂ１，２４Ｂ１を吐出室２１に開放するリード弁が設けられるものとする。この第１バイパスポート２３Ｂ１および第２バイパスポート２４Ｂ１用のリード弁は、第１バイパスポート２３Ｂおよび第２バイパスポート２４Ｂに設けられるリード弁と共用化するようにしてもよい。
【００５１】
以上に説明の構成により、本実施形態によれば、以下の作用効果を奏する。
上記横型段付きスクロール圧縮機１において、吸入ポート（図示省略）からハウジング２内の吸入チャンバー２２内に吸込まれた低圧の冷媒ガスは、旋回スクロール１４の旋回駆動により、一対の圧縮室１５内に吸込まれる。この冷媒ガスは、圧縮室１５が外周側から中心側へと渦巻き状ラップ１３Ｂ，１４Ｂの周方向およびラップ高さ方向に容積を減少しながら移動される間に三次元圧縮され、一対の圧縮室１５が合流して吐出ポート１３Ｃと連通されることにより、吐出リード弁１９を開いて吐出室２１内に吐き出される。この高圧ガスは、ハウジング２に設けられている吐出ポートを経て外部に送出される。
【００５２】
この圧縮過程において、運転条件によって圧縮室１５内の圧力が異常上昇して過圧縮状態となったり、あるいは液冷媒を吸込み、液圧縮することにより圧力が異常上昇したりすることがある。このような場合、固定スクロール１３および旋回スクロール１４の渦巻き状ラップ１３Ｂ，１４Ｂの歯先面側の段部１３Ｄ，１４Ｄの根元部に対して、過圧縮や液圧縮による過大な応力が負荷されることがあり、その応力集中により段部１３Ｄ，１４Ｄの根元にクラックが生じ、渦巻き状ラップ１３Ｂ，１４Ｂが破損するリスクがある。
【００５３】
しかるに、本実施形態においては、一対の圧縮室１５が吸入締め切り位置（θｄ）から吐出ポート１３Ｃに連通する位置（θｐ）に至る迄の圧縮行程全域において、各圧縮室１５に開口される第１バイパスポート２３Ａ，２３Ｂ、第２バイパスポート２４Ａ，２４Ｂおよび第３バイパスポート２５Ａ，２５Ｂを渦巻き方向に沿って複数対設けた構成としている。このため、過圧縮あるいは液圧縮された圧縮室１５の異常圧力あるいは液冷媒を第１バイパスポート２３Ａ，２３Ｂ、第２バイパスポート２４Ａ，２４Ｂおよび第３バイパスポート２５Ａ，２５Ｂのいずれから、順次リード弁を介して吐出室２１にリリーフすることができる。従って、渦巻き状ラップ１３Ｂ，１４Ｂが破損するリスクを解消することができる。
【００５４】
一方、横型段付きスクロール圧縮機１が運転停止中に液冷媒がマイグレーションし、圧縮室１５内に溜まり込むことがある。かかる液寝込み状態から圧縮機を起動すると、横型段付きスクロール圧縮機１では、段部１３Ｄと１４Ｅ、１３Ｅと１４Ｄが噛み合いを開始した時に、重力方向下側の段部１３Ｅ，１４Ｄが含まれる第１圧縮室（固定背側圧縮室）１５Ｂ側で、より液圧縮が発生し易いことが判っており、この第１圧縮室（固定背側圧縮室）１５Ｂに開口する第１バイパスポート２３Ｂ，２３Ｂ１の開口面積を、該第１圧縮室（固定背側圧縮室）１５Ｂと対をなす第２圧縮室（固定腹側圧縮室）１５Ａに開口する第１バイパスポート２３Ａの開口面積によりも大きくしている。
【００５５】
このため、液圧縮が発生し易い第１圧縮室（固定背側圧縮室）１５Ｂ側において、液冷媒をよりリリーフし易くすることができ、これによって、横型段付きスクロール圧縮機１での液圧縮を効果的に防止することができる。
【００５６】
また、上記第１圧縮室（固定背側圧縮室）１５Ｂが噛み合いを開始した位置（θｓ）から噛み合い終了位置（θｓ＋π）を経て吐出ポート１３Ｃに連通する位置（θｐ）に至る間に、その第１圧縮室（固定背側圧縮室）１５Ｂに対して開口する第２バイパスポート２４Ｂ位置にも、追加の第２バイパスポート２４Ｂ１を設け、対をなす第２圧縮室（固定腹側圧縮室）１５Ａに開口する第２バイパスポート２４Ａの開口面積によりも大きくしているため、段部１３Ｄと１４Ｅ、１３Ｅと１４Ｄが噛み合いを開始以降の圧縮工程全域において、第１圧縮室（固定背側圧縮室）１５Ｂでの液圧縮を確実に抑制することができる。
【００５７】
さらに、上記実施形態では、段部１３Ｄと１４Ｅ、１３Ｅと１４Ｄが噛み合いを開始した時に、重力方向下側の段部１３Ｅ，１４Ｄが含まれる第１圧縮室（固定背側圧縮室）１５Ｂに開口する第１バイパスポート２３Ｂおよび第２バイパスポート２４Ｂに開口面積を大きくするため、それぞれ追加の第１バイパスポート２３Ｂ１および第２バイパスポート２４Ｂ２を設けることによって、簡易に開口面積を大きくし、液冷媒をリリーフし易くしている。
【００５８】
なお、第１圧縮室（固定背側圧縮室）１５Ｂに対して開口する第１バイパスポート２３Ｂおよび第２バイパスポート２４Ｂに開口面積を大きくするには、上記の如く、ポート数を増やす以外に、例えば第１バイパスポート２３Ｂおよび第２バイパスポート２４Ｂ自体を長孔とする等によって、開口面積を大きくするようにしてもよい。
【００５９】
また、上記液圧縮の程度は、圧縮室１５内に溜まり込んでいる液冷媒の量によって左右されることは云うまでもなく、図５に示されるように、例えば吸入締め切り位置（θｄ）において、一対の圧縮室１５内に満杯程度（液面高さ１００％）まで液冷媒が溜まり込んでいるような場合、一方の圧縮室１５を液排出し易くしても意味はなく、このような場合については、別途対策が必要である。逆に液面高さが３０％以下の場合については、液圧縮による発生圧力が許容範囲以下のため問題はなく、液面高さが３０％を超え、７０％程度迄の範囲において、上記の効果を期待し得るものと考える。
【００６０】
［第２実施形態］
次に、本発明の第２実施形態について、図４を用いて説明する。
本実施形態は、上記した第１実施形態に対して、バイパスポートの開口面積を変えることなく、重力方向下側に位置する段部１３Ｅ，１４Ｄの位置を適正範囲に設定することにより、液圧縮を防止している点が異なる。その他の点については、第１実施形態と同様であるので説明は省略する。
【００６１】
つまり、本実施形態は、重力方向下側に位置する段部１３Ｅ，１４Ｄの設定位置を変えることにより、段部１３Ｅと１４Ｄ、１３Ｄと１４Ｅが噛み合いを開始した時に、重力方向下側の段部１３Ｅ，１４Ｄが含まれる第１圧縮室（固定背側圧縮室）１５Ｂに閉じ込められる液冷媒の量が変化するとの知見に基づいてなされたものである。
【００６２】
図４に示されている通り、同じ量の液冷媒が圧縮室１５に溜まり込んだとしても、段部１３Ｅ，１４Ｄの位置を変えることにより、段部１３Ｅと１４Ｄ、１３Ｄと１４Ｅが噛み合いを開始した時に、重力方向下側の段部１３Ｅ，１４Ｄが含まれる第１圧縮室（固定背側圧縮室）１５Ｂに閉じ込められる液冷媒の量が変化する。このことは、図６ないし図９を参照して前述した通りであり、図４の（Ａ）ないし（Ｄ）は、図６ないし図９における各々の（Ｃ）図に相当する図である。
【００６３】
図４の（Ａ）は、重力方向下側の段部１３Ｅ，１４Ｄの位置を、水平方向に対して左下４５°位置に設定したものであり、同様に、図（Ｂ）は、段部１３Ｅ，１４Ｄの位置を真下位置、図（Ｃ）は、段部１３Ｅ，１４Ｄの位置を右下４５°位置、図（Ｄ）は、段部１３Ｅ，１４Ｄの位置を真横位置（水平位置）、図（Ｅ）は、段部１３Ｅ，１４Ｄの位置を右下３０°位置に設定した場合の圧縮状態を示しており、段部１３Ｅと１４Ｄ、１３Ｄと１４Ｅが噛み合いを開始した時に、重力方向下側の段部１３Ｅ，１４Ｄが含まれる第１圧縮室（固定背側圧縮室）１５Ｂに閉じ込められる液冷媒の量は、各図に示す通り変化する。
【００６４】
図４の（Ａ）および（Ｂ）の場合、第１圧縮室（固定背側圧縮室）１５Ｂに閉じ込められる液冷媒の量が、対をなす第２圧縮室（固定腹側圧縮室）１５Ａに閉じ込められる液冷媒の量に比較して圧倒的に多く、第１圧縮室（固定背側圧縮室）１５Ｂ側で液圧縮が発生し易くなる。しかし、（Ｃ）および（Ｄ）の場合、第１圧縮室（固定背側圧縮室）１５Ｂに閉じ込められる液冷媒の量と、対をなす第２圧縮室（固定腹側圧縮室）１５Ａに閉じ込められる液冷媒の量が略等しく（（Ｃ）の場合は、第１圧縮室１５Ｂ側がやや多く、（Ｄ）の場合は、第２圧縮室１５Ａ側がやや多くなる）、（Ｅ）の場合、両圧縮室１５Ａ，１５Ｂに閉じ込められる液冷媒の量がより等しくなる。
【００６５】
このように、段部１３Ｅと１４Ｄ、１３Ｄと１４Ｅが噛み合い開始時に、重力方向下側の段部１３Ｅ，１４Ｄが含まれる第１圧縮室（固定背側圧縮室）１５Ｂと、その圧縮室１５Ｂと対をなす第２圧縮室（固定腹側圧縮室）１５Ａとに閉じ込められる液冷媒の量を等しくすることは、各圧縮室１５Ａ，１５Ｂに閉じ込められる液冷媒量を少なくし、液圧縮のリスクを低減できることを意味する。
【００６６】
本実施形態は、かかる知見に基づいて、第１実施形態と同様、一対の圧縮室１５が吸入締め切り位置（θｄ）から吐出ポート１３Ｃに連通する位置（θｐ）に至る迄の全圧縮行程において開口し、各圧縮室１５の過圧縮あるいは液冷媒を防止する第１バイパスポート２３Ａ，２３Ｂ、第２バイパスポート２４Ａ，２４Ｂ、第３バイパスポート２５Ａ，２５Ｂを設けた横型段付きスクロール圧縮機１にあって、重力方向下側の段部１３Ｅ，１４Ｄの位置を、図４における（Ｃ）〜（Ｅ）の範囲、すなわち水平方向に対して０°から時計回り方向（スクロール旋回方向）に４５°の範囲、好ましく水平方向に対してスクロール旋回方向に２０°から４０°の範囲、より好ましくは水平方向に対してスクロール旋回方向に３０°の位置に設定したものである。
【００６７】
以上の如く、重力方向下側に位置する段部１３Ｅ，１４Ｄの位置を、水平方向に対してスクロール旋回方向に０°から４５°の範囲、好ましくは２０°から４０°の範囲、より好ましくは３０°の位置に設定することにより、段部１３Ｅと１４Ｄ、１３Ｄと１４Ｅが噛み合い開始時に、重力方向下側の段部１３Ｅ，１４Ｄが含まれる第１圧縮室（固定背側圧縮室）１５Ｂと、その圧縮室１５Ｂと対をなす第２圧縮室（固定腹側圧縮室）１５Ａとに閉じ込められる液冷媒の量を略等しくすることができる。
【００６８】
斯くして、本実施形態によっても、横型段付きスクロール圧縮機１を液寝込み起動したときの液圧縮を効果的に防止することができ、液圧縮によるスクロールの破損等のリスクを低減してその信頼性を向上することができる。
【００６９】
なお、本発明は、上記実施形態にかかる発明に限定されるものではなく、その要旨を逸脱しない範囲において、適宜変形が可能である。例えば、上記実施形態では、クランク軸５の一端部をハウジング２の外方に突出させ、外部から動力を受けて駆動されるタイプの横型段付きスクロール圧縮機１に適用した例について説明したが、ハウジング２の内部に電動モータを一体に内蔵し、その電動モータで駆動される密閉タイプの横型段付きスクロール圧縮機にも同様に適用できることはもちろんである。
【００７０】
また、上記実施形態では、一対の圧縮室１５が吸入締め切り位置（θｄ）から吐出ポート１３Ｃに連通する位置（θｐ）に至る迄の圧縮行程全域において、第１バイパスポート２３Ａ，２３Ｂ、第２バイパスポート２４Ａ，２４Ｂ、第３バイパスポート２５Ａ，２５Ｂのいずれかに開口するようにしたものについて説明したが、段部１３Ｄと１４Ｅ、１３Ｅと１４Ｄとが噛み合いを開始（θｓ位置）した位置から吐出ポート１３Ｃに連通する位置（θｐ）迄の範囲、あるいはその段部が噛み合いを開始（θｓ位置）した位置から噛み合いを終了する位置（θｓ＋π）迄の範囲にバイパスポートを設けた横型段付きスクロール圧縮機１に対しても同様に適用できることは云うまでもない。
【符号の説明】
【００７１】
１  横型段付きスクロール圧縮機
１３  固定スクロール
１３Ｂ，１４Ｂ  渦巻き状ラップ
１３Ｃ  吐出ポート
１３Ｄ，１４Ｄ  歯先面の段部
１３Ｅ，１４Ｅ  歯底面の段部
１４  旋回スクロール
１５  圧縮室
１５Ａ  第２圧縮室（固定腹側圧縮室）
１５Ｂ  第１圧縮室（固定背側圧縮室）
２１  吐出室
２３Ａ，２３Ｂ，２３Ｂ１  第１バイパスポート
２４Ａ，２４Ｂ，２４Ｂ１  第２バイパスポート
２５Ａ，２５Ｂ  第３バイパスポート
【図１】
0006352109.tif 000002
【図２】
0006352109.tif 000003
【図３】
0006352109.tif 000004
【図４】
0006352109.tif 000005
【図５】
0006352109.tif 000006
【図６】
0006352109.tif 000007
【図７】
0006352109.tif 000008
【図８】
0006352109.tif 000009
【図９】
0006352109.tif 000010